(57)【特許請求の範囲】
【請求項１】
床面上における所定高さ位置の所に、横架材がレベル出しされた状態で一定間隔毎に補助束によって支持され、当該横架材の上に床パネルが敷かれている床構造を施工するための床施工法において、
壁面に墨出しを行い、
当該墨出しされた位置に沿って、仮受け材を所定間隔で前記壁面にホットメルト接着剤により取り付け、
当該仮受け材の上に前記横架材を載せてレベル出しを行うと共に、前記壁面から離した位置に前記横架材を位置決めした状態で、当該横架材を前記仮受け材にホットメルト接着剤により仮止めし、
前記補助束を、前記横架材における前記壁面側およびその反対側の側面に沿って交互に配置されるように、一定間隔毎に床面上に立て、
各補助束の側面を前記横架材の側面にホットメルト接着剤により固定すると共に、各補助束の下面を前記床面にホットメルト接着剤により固定し、
各補助束における前記横架材の上面よりも上方に突出している突出部分を切断して、各補助束の上面を前記横架材の上面に揃えると共に、前記仮受け材を前記壁面および前記横架材の下面から取り外すことにより、前記横架材および前記補助束と前記壁面とを非接触状態にし、
前記横架材および各補助束の上に前記床パネルを敷いて、前記床パネルからの荷重が各補助束の上面に直接圧縮力として作用するように前記床パネルを取り付けることを特徴とする床施工法。
【請求項２】
請求項１において、
前記補助束を、束本体と、この束本体の下面に固定した弾性板から構成することを特徴とする床施工法。
【請求項３】
請求項１または２において、
前記横架材はきわ根太であり、
対向する前記きわ根太の間に大引きを架け渡し、
前記補助束を、当該大引きの左右の側面に沿って交互に配置されるように、一定間隔で床面上に立て、
各補助束の側面を前記大引きの側面にホットメルト接着剤により固定すると共に、各補助束の下面を前記床面にホットメルト接着剤により固定し、
各補助束おける前記大引きの上面よりも上方に突出している突出部分を切断して、各補助束の上面を前記大引きの上面に揃え、
前記床パネルを、前記きわ根太、前記大引き、および前記補助束の上に敷いて、前記床パネルからの荷重が各補助束の上面に直接圧縮力として接作用するように前記床パネルを取り付けることを特徴とする床施工法。
【発明の詳細な説明】
【０００１】
【発明の属する技術分野】
本発明は、きわ根太等の横架材が補助束によってレベル出しされた状態で支持された床構造を極めて簡単な作業により構成可能な床施工法に関するものである。
【０００２】
【従来の技術】
鉄筋コンクリート製の集合住宅等における床施工法としては、鉄筋コンクリート製の壁面にきわ根太をレベル出しされた状態で取り付け、きわ根太に大引を架け渡し、その上にパーティクルボード等の床下地板、あるいはコンクリートパネル等の捨て板を張り、この上に床仕上材を敷くものが知られている。このような床施工法では、きわ根太や大引き等の横架材をレベル出しされた状態で床面上の所定の高さ位置の所に支持するため、一定間隔で、横架材と床面の間に補助束を立て、各補助束を横架材および床面に固定するようにしている。
【０００３】
ここで、横架材と床面の間隔は場所によってばらつきがあり、その都度、補助束を間隔に合わせて切断していたのでは作業効率が極めて悪い。そこで、一定の長さの補助束を用意しておき、くさび材や、所定厚さの間隔調整板を、補助束と横架材の間等に差し込むことにより、間隔調整を行なう方法が採用されている。
【０００４】
【発明が解決しようとする課題】
しかしながら、くさび材や間隔調整板を用いる方法では、補助束を規格寸法にはできるものの、くさび材や間隔調整板を用意する必要があり、また、くさび材の場合にはその差し込み量を調整して間隔調整を行なう作業が必要となり、間隔調整板の場合には適切な厚さのものを選択あるいは製作する作業が必要である。
【０００５】
また、床高の低い床構造の場合には、くさび材や間隔調整板を差し込む余裕がない場合もあるので不便である。
【０００６】
本発明の課題は、このような点に鑑みて、くさび材や間隔調整板を用いることなく、極めて簡単な作業により、補助束によってレベル出しされた状態の横架材を支持させることのできる床施工法を提案することにある。
【０００７】
【課題を解決するための手段】
上記の課題を解決するために、本発明は、床面上における所定高さ位置の所に、横架材がレベル出しされた状態で一定間隔毎に補助束によって支持され、当該横架材の上に床パネルが敷かれている床構造を施工するための床施工法において、
壁面に墨出しを行い、
当該墨出しされた位置に沿って、仮受け材を所定間隔で前記壁面にホットメルト接着剤により取り付け、
当該仮受け材の上に前記横架材を載せてレベル出しを行うと共に、前記壁面から離した位置に前記横架材を位置決めした状態で、当該横架材を前記仮受け材にホットメルト接着剤により仮止めし、
前記補助束を、前記横架材における前記壁面側およびその反対側の側面に沿って交互に配置されるように、一定間隔毎に床面上に立て、
各補助束の側面を前記横架材の側面にホットメルト接着剤により固定すると共に、各補助束の下面を前記床面にホットメルト接着剤により固定し、
各補助束における前記横架材の上面よりも上方に突出している突出部分を切断して、各補助束の上面を前記横架材の上面に揃えると共に、前記仮受け材を前記壁面および前記横架材の下面から取り外すことにより、前記横架材および前記補助束と前記壁面とを非接触状態にし、
前記横架材および各補助束の上に前記床パネルを敷いて、前記床パネルからの荷重が各補助束の上面に直接圧縮力として作用するように前記床パネルを取り付けることを特徴としている。
【０００８】
本発明の床施工法では、横架材から上方に突出している補助束の部分を切断するという簡単な作業によって、レベル出しされた状態の横架材を補助束によって支持した構造を構築できる。
【０００９】
ここで、遮音性等を改善するためには、前記補助束を、束本体と、この束本体の下面に固定した弾性板から構成することが望ましい。
【００１０】
また、補助束を横架材および床面に固定する作業を簡単、かつ迅速に行なうためには、ホットメルト接着剤を用いて、前記補助束を前記横架材の側面および前記床面に接着固定することが望ましい。
【００１１】
さらに、前記補助束を、前記横架材に沿って、当該横架材の左右の側面に対して交互に固定することが望ましい。
【００１２】
このような構成では、横架材を前記壁面から離して配置することになるので、床の遮音性を改善することができる。
【００１３】
また、ホットメルト接着剤を用いて、前記仮受け材を前記壁面に接着固定すると共に、横架材を前記仮受け材に仮止めすることにより、横架材のレベル出しを簡単かつ迅速に行うことができる。
【００１４】
また、本発明において、
前記横架材はきわ根太であり、
対向する前記きわ根太の間に大引きを架け渡し、
前記補助束を、当該大引きの左右の側面に沿って交互に配置されるように、一定間隔で床面上に立て、
各補助束の側面を前記大引きの側面にホットメルト接着剤により固定すると共に、各補助束の下面を前記床面にホットメルト接着剤により固定し、
各補助束おける前記大引きの上面よりも上方に突出している突出部分を切断して、各補助束の上面を前記大引きの上面に揃え、
前記床パネルを、前記きわ根太、前記大引き、および前記補助束の上に敷いて、前記床パネルからの荷重が各補助束の上面に直接圧縮力として接作用するように前記床パネルを取り付ける構成にすることができる。
【００１５】
【発明の実施の形態】
以下に、図面を参照して、本発明を適用した床施工法の一例を説明する。以下に述べる床施工法は、鉄筋コンクリート製の床面上に木造床組を施工する場合のものである。
【００１６】
まず、図１に示すように、鉄筋コンクリート製の壁面１に墨出し作業を行い、墨だし位置（罫書き線１ａ）に沿って、一定間隔で長方形の仮受け板２を、ホットメルト接着剤を用いて壁面１に接着固定する。次に、図２に示すように、接着固定した仮受け板２の上面２ａに長方形断面のきわ根太材３を乗せて、同じくホットメルト接着剤を用いて、きわ根太材３を各仮受け板２の上面２ａに仮止めする。ここで、きわ根太材３を壁面２から一定の距離だけ離した位置にしておく。
【００１７】
この後は、図３に示すように、予め用意してある一定長さの長方形断面の束材４の下面４ａに、それよりも一回り大きな長方形をした一定厚さの弾性ゴム板５をホットメルト接着剤により接着固定して、補助束６を製作する。次に、図４に示すように、このように製作した各補助束６を、仮止めされているきわ根太材３に沿って、一定の間隔で、その左右に交互に配置する。そして、各補助束６の側面６ａを、それが対峙しているきわ根太材３の左右の側面３ａ、３ｂにホットメルト接着剤によって接着固定すると共に、補助束６の下面６ｂ（弾性ゴム板５の下面）も鉄筋コンクリート製の床面７に接着固定する。
【００１８】
ここで、床面７は不陸となっていることが殆どであるので、各補助束６が接着固定された床面部分ときわ根太３の間隔にはばらつきがある。このために、各補助束６の上端部分は、きわ根太３の上面３ｃからの突出量Ｌ１、Ｌ２がそれぞれ異なった状態になる（図４（ｂ）参照）。
【００１９】
各補助束６の突出部分６ｃを、きわ根太３の上面３ｃに揃えて、切断用工具（図示せず）によって切断して、これらの上面６ｄおよび３ｃを面一の状態とする。図５には各補助束６の突出部分６ｃを切断した後の状態を示してある。
【００２０】
この後は、図６に示すように仮受け板２を壁面１から取り外した後に、図７に示すように、対向する壁際に非接触状態に設置したきわ根太３の間に、大引き材８を架け渡し、各大引き材８にも、上記と同様にして補助束６を接着固定する。しかる後に、図８に示すように、その上にパーティクルボード等の床下地パネル９を敷きつめ、その上に床仕上材１０を敷くことにより、床が構成される。
【００２１】
このように、本例の床施工法によれば、補助束を、床面６と、横架材（きわ根太３、大引き材８）との間に差し込むのではなく、横架材の側面に固定し、その上面から突出している部分を切断している。従って、本例によれば、床面と横架材の間に補助束を差し込む作業が不要となり、また、その間隔調整のためのくさび材や間隔調整板等を補助束と横架材の間に差し込む必要がない。よって、束立て作業を極めて簡単、かつ迅速に行なうことが可能になる。
【００２２】
また、各補助束の上面は横架材の上面と面一となっているので、床荷重は、直接に補助束に対して圧縮力として作用する。従って、床の支持強度も十分なものとすることができる。
【００２３】
さらに、本例の施工法では、ホットメルト接着剤を用いて、部材を接着固定しているので、部材の固定作業を簡単かつ迅速に行なうことができる。
【００２４】
これに加えて、本例では、きわ根太材３を壁面から離し、補助束の下端部分は弾性ゴム板となっているので、遮音性および防音性に優れた床構造を実現することができる。
【００２５】
（その他の実施の形態）
なお、上記の例は、補助束の束材および横架材が木材である場合を想定しているが、本発明の施工法は、木材以外の材質（金属、プラスチック等）の束材および横架材からなる床施工法にも適用できる。例えば、鋼製床の施工に適用する場合には、鋼製の束材と鋼製の横架材との固定を、溶接等の方法を採用して、行なえばよい。
【００２６】
【発明の効果】
以上説明したように、本発明の床施工法では、補助束を横架材と床面の間に差し込むのではなく、横架材の側面に固定し、横架材の上面から突出した部分を切断することにより、床組を構成している。従って、補助束を差し込む作業に比べて簡単な作業により束立てを行なうことができる。また、ばらつきのある隙間に補助束を差し込む場合のような間隔調整用のくさび材等が不要となり、その差し込み作業も不要となるので、極めて簡単な作業により床を構成できる。
【００２７】
また、本発明では、ホットメルト接着剤を用いて、補助束を横架材および床面に接着固定しているので、補助束の固定作業を簡単かつ迅速に行なうことが可能である。
【００２８】
さらには、本発明の床施工法では、きわ根太を壁面から離した状態に配置し、また、補助束を弾性ゴム板を介して床面に固定しているので、遮音性および防音性に優れた床を実現できる。
【図面の簡単な説明】
【図１】本発明を適用した床施工法の施工手順を示す図であり、仮受け板を取り付けた状態を示す斜視図および断面図である。
【図２】本発明を適用した床施工法の施工手順を示す図であり、仮受け板の上にきわ根太を載せた状態を示す斜視図および断面図である。
【図３】本発明を適用した床施工法の施工手順を示す図であり、製作した補助束を示す斜視図である。
【図４】本発明を適用した床施工法の施工手順を示す図であり、補助束をきわ根太側面に固定した状態を示す斜視図および断面図である。
【図５】本発明を適用した床施工法の施工手順を示す図であり、各補助束の突出部分を切断した状態を示す断面図である。
【図６】本発明を適用した床施工法の施工手順を示す図であり、仮受け板を取り外した状態を示す断面図である。
【図７】本発明を適用した床施工法の施工手順を示す図であり、大引き材を架け渡した状態を示す断面図である。
【図８】本発明を適用した床施工法の施工手順を示す図であり、床下地パネルおよび床仕上材を敷設した状態を示す断面図である。
【符号の説明】
１    壁面
２    仮受け材
３    きわ根太
３ａ、３ｂ  側面
３ｃ  上面
４    束材
５    弾性ゴム板
６    補助束
６ａ  側面
６ｂ  下面
６ｃ  突出部分
６ｄ  上面
７    床面
８    大引き材
９    床下地パネル
１０  仕上材
【図１】
0004386562.tif 000002
【図２】
0004386562.tif 000003
【図３】
0004386562.tif 000004
【図４】
0004386562.tif 000005
【図５】
0004386562.tif 000006
【図６】
0004386562.tif 000007
【図７】
0004386562.tif 000008
【図８】
0004386562.tif 000009